(57)【要約】【課題】感光材料に対して不適切な光が照射されることを回避して画像を高精度に形成することのできる簡易な構成からなる感光材料収納トレイおよび画像記録装置を提供する。【解決手段】トレイ装填部６７、６９、７１に包装体を収納したトレイ３６、３８、４０を装填した後、バーコードリーダ８０、８２、８４から出力される赤外光からなる読取光を、トレイ３６、３８、４０の開口部５６、５８、６０に装着した赤外光のみを透過させるフィルタ５７、５９、６１を介して遮光袋１４のバーコードラベル２２に照射して情報を読み取る。【選択図】図１
2004091182.tif 000002
【特許請求の範囲】
【請求項１】
画像が記録されるシート状の感光材料を収納し、画像記録装置に装填されるトレイにおいて、
前記感光材料が収納された状態で、前記感光材料に係る情報が記録された情報記録部が配設される開口部と、
前記開口部に装着され、前記画像記録装置内に配設されて前記情報を読み取る情報読取部から前記情報記録部に照射される前記感光材料を感光することのない読取光のみを透過させるフィルタと、
を備えることを特徴とする感光材料収納トレイ。
【請求項２】
請求項１記載のトレイにおいて、
前記フィルタは、７７０ｎｍ以上の波長からなる前記読取光を透過させることを特徴とする感光材料収納トレイ。
【請求項３】
トレイに収納されたシート状の感光材料を枚葉し、画像記録部に供給して画像を記録する画像記録装置において、
前記トレイが装填されるトレイ装填部と、
前記トレイ装填部に配設され、前記トレイに収納された前記感光材料に係る情報を、前記トレイに形成された開口部に装着されたフィルタを介して、前記開口部に配設される情報記録部から読み取る情報読取部と、
を備え、前記情報読取部は、前記感光材料を感光することのない読取光を、前記読取光のみを透過させる前記フィルタを介して前記情報記録部に照射し、前記情報を読み取ることを特徴とする画像記録装置。
【請求項４】
請求項３記載の装置において、
前記読取光の波長は、７７０ｎｍ以上であることを特徴とする画像記録装置。
【発明の詳細な説明】
【０００１】
【発明の属する技術分野】
本発明は、感光材料を収納して画像記録装置に装填されるトレイおよびそのトレイに収納された感光材料に画像を記録する画像記録装置に関する。
【０００２】
【従来の技術】
例えば、シート状の感光材料を供給し、その感光材料に対して画像を形成する画像記録装置がある。このような画像記録装置では、感光材料を入れ替えた際、その感度特性がロット毎に異なることがあり、あるいは、種類の異なる感光材料に入れ替えることもあるため、画像の形成に先だって感度特性を設定し、感度補正を実施する必要がある。この場合、オペレータによる感度特性の設定作業は、非常に煩わしいものである。また、設定作業を忘失してしまうと、高精度な画像を形成することができなくなってしまう。
【０００３】
そこで、例えば、特許文献１に開示された従来技術では、感光材料を収納する包装部材に感度特性情報を記録したバーコードシールを添付しておき、この包装部材が画像記録装置に装填された際、バーコードシールを装置内に配置した読取センサを用いて読み取ることで感度特性情報を取得するようにしている。この場合、画像記録装置では、自動的に取得した感度特性情報に従い、感光材料に記録する画像情報の感度補正を行うことが可能となる。
【０００４】
【特許文献１】
特開２０００−２７５７４９号公報（図３）
【０００５】
【発明が解決しようとする課題】
ところで、前記の画像記録装置では、読取センサからの読取光を包装部材のバーコードシールに照射することで感度特性情報を取得する際、読取光の一部が感光材料に漏洩すると、感光材料にかぶりの生じるおそれがある。従って、包装部材は、読取センサによる情報の読取時において、十分な遮光性を確保できるものとなっている必要がある。
【０００６】
一方、感光材料は、感度特性情報が読み取られた後、包装部材が画像記録装置から引き抜かれることで装置内に開放される。この場合、読取センサの誤動作によって読取光が出力されると、感光材料が感光してしまうことになる。
【０００７】
本発明は、前記の不具合を解消するためになされたものであって、感光材料に対して不適切な光が照射されることを回避して画像を高精度に形成することのできる簡易な構成からなる感光材料収納トレイおよび画像記録装置を提供することを目的とする。
【０００８】
【課題を解決するための手段】
本発明は、画像が記録されるシート状の感光材料を収納し、画像記録装置に装填されるトレイにおいて、
前記感光材料が収納された状態で、前記感光材料に係る情報が記録された情報記録部が配設される開口部と、
前記開口部に装着され、前記画像記録装置内に配設されて前記情報を読み取る情報読取部から前記情報記録部に照射される前記感光材料を感光することのない読取光のみを透過させるフィルタと、
を備えることを特徴とする。
【０００９】
また、本発明は、トレイに収納されたシート状の感光材料を枚葉し、画像記録部に供給して画像を記録する画像記録装置において、
前記トレイが装填されるトレイ装填部と、
前記トレイ装填部に配設され、前記トレイに収納された前記感光材料に係る情報を、前記トレイに形成された開口部に装着されたフィルタを介して、前記開口部に配設される情報記録部から読み取る情報読取部と、
を備え、前記情報読取部は、前記感光材料を感光することのない読取光を、前記読取光のみを透過させる前記フィルタを介して前記情報記録部に照射し、前記情報を読み取ることを特徴とする。
【００１０】
この場合、情報読取部から出力された感光材料を感光することのない読取光は、フィルタを介して開口部からトレイ内に入射し、情報記録部から感光材料に係る情報を取得する。一方、読取光以外の光は、フィルタによって遮断されるため、感光材料が感光するおそれはない。
【００１１】
なお、読取光を７７０ｎｍ以上の波長に設定するとともに、フィルタを７７０ｎｍ以上の波長の光のみを透過するように設定することにより、読取光のみを透過させて情報の読み取りを行うことができる。
【００１２】
【発明の実施の形態】
図１は、本実施形態の画像記録装置１０を示す。画像記録装置１０は、図２および図３に示す形態からなる複数の包装体１２を装填可能なトレイ３６、３８、４０を有する。
【００１３】
ここで、包装体１２は、積層した複数の感光材料であるフイルムＦを当て紙１６によって保持し、遮光袋１４に収納して構成される。この場合、フイルムＦは、７７０ｎｍよりも短い波長の光によって感光する特性のものが選択されているものとする。遮光袋１４は、一方の面の中央部を合わせて熱処理することで、フイルムＦを光密に保持する。遮光袋１４の両端部には、ヒレ部１８ａ、１８ｂが形成される。遮光袋１４の合わせ部２０が形成された面には、合わせ部２０に干渉しない部位に当該遮光袋１４に収納されているフイルムＦのロット情報、感度特性情報等が記録されたバーコードからなるバーコードラベル２２（情報記録部）が添付される。なお、バーコードラベル２２を用いる代わりに、バーコードを直接遮光袋１４に印刷により記録してもよい。
【００１４】
各トレイ３６、３８、４０は、両側部にフランジ部４２ａ、４２ｂを有し、画像記録装置１０内に配設されたガイドレール４４ａ、４４ｂを介して引き出しあるいは装填可能に構成される。トレイ３６、３８、４０は、図４に示すように、画像記録装置１０の手前側に配設される取手部４６を有する。サイズの異なる種々の包装体１２が収納されるトレイ３６、３８、４０の収納部４８のうち、取手部４６側の部位には、画像記録装置１０内の図示しないローラと協働して包装体１２のヒレ部１８ａを挟持するしごきローラ５０ａ、５０ｂが配設される。
【００１５】
トレイ３６、３８、４０の収納部４８には、収納される包装体１２のサイズに応じた位置に、フランジ部４２ａ側から位置決めピン５２ａ〜５２ｇが夫々配設される。また、収納部４８には、包装体１２のサイズに応じて、取手部４６側から位置決め板５４ａ〜５４ｃが夫々配設される。
【００１６】
この場合、しごきローラ５０ａ、位置決めピン５２ａ、５２ｂ、位置決め板５４ａ、位置決めピン５２ｄ、５２ｅによって囲繞される収納部４８には、六切サイズのフイルムＦが収納される。しごきローラ５０ａ、位置決めピン５２ａ〜５２ｃ、位置決め板５４ｂ、位置決めピン５２ｄ、５２ｅによって囲繞される収納部４８には、四切サイズのフイルムＦが収納される。しごきローラ５０ａ、５０ｂ、位置決めピン５２ａ〜５２ｃ、位置決め板５４ｃ、位置決めピン５２ｆ、５２ｇによって囲繞される収納部４８には、大角サイズのフイルムＦが収納される。しごきローラ５０ａ、５０ｂ、位置決めピン５２ａ〜５２ｃ、位置決め板５４ｃ、フランジ部４２ｂ側の側板によって囲繞される収納部４８には、半切サイズのフイルムＦが収納される。なお、図１では、各トレイ３６、３８、４０を六切サイズ、大角サイズ、半切サイズに夫々設定した状態を示す。
【００１７】
トレイ３６、３８、４０を構成する側板４３ａ〜４３ｃには、上縁側に沿って連通する溝部４５が形成される。また、取手部４６には、スリット４７が形成される。これらのスリット４７および溝部４５に対して、取手部４６側からシャッタ板４９が挿入されることにより、トレイ３６、３８、４０の開口部が閉塞可能である。
【００１８】
収納部４８の六切サイズのフイルムＦが収納される部位中央から位置決めピン５２ｄ、５２ｅ間を介して位置決めピン５２ｆ、５２ｇに至るトレイ３６、３８、４０の底面部には、略長方形状の開口部５６、５８、６０が形成される。各開口部５６、５８、６０には、遮光袋１４に収納されたフイルムＦを感光することのない波長の光、例えば、７７０ｎｍ以上の波長の光のみを透過する特性を備えたフィルタ５７、５９、６１が装着される。
【００１９】
以上のように構成されるトレイ３６、３８、４０は、その上下を遮光隔壁６５、６２、６４、６６によって隔離してなるトレイ装填部６７、６９、７１に装填される。各遮光隔壁６２、６４、６６には、トレイ３６、３８、４０の底面部に形成された開口部５６、５８、６０の位置に対応して開口部６８、７０、７２が形成される。開口部６８、７０、７２には、収納部７４、７６、７８が連設しており、各収納部７４、７６、７８には、包装体１２に添付されたバーコードラベル２２のバーコードを読み取るバーコードリーダ８０、８２、８４（情報読取部）が夫々配設される。バーコードリーダ８０、８２、８４から出力される読取光は、トレイ３６、３８、４０の開口部５６、５８、６０に装着されたフィルタ５７、５９、６１を透過し、且つ、フイルムＦを感光することのない波長の赤外光、例えば、７７０ｎｍ以上の波長の光に設定される。なお、バーコードリーダ８０、８２、８４は、トレイ３６、３８、４０に収納されるフイルムＦのサイズに応じた２つの位置Ａ１またはＡ２のいずれかに選択的に配設することができる。
【００２０】
画像記録装置１０に装填されたトレイ３６、３８、４０の上部には、フイルムＦを枚葉するための吸着盤８６、８８、９０と、吸着盤８６、８８、９０によって枚葉されたフイルムＦを挟持して搬送するニップローラ９２、９４、９６が配設される。
【００２１】
最上部のトレイ３６の上部には、搬送路９８を介して画像記録部１００が配設される。なお、遮光隔壁６５、６２、６４には、各トレイ装填部６７、６９、７１から枚葉されたフイルムＦを画像記録部１００へ搬送するための通路７３、７５、７７が開口する。これらの通路７３、７５、７７には、遮光性を高めるため、フイルムＦが通過しない場合に閉塞状態とすることのできるシャッタ部材を配設すると好適である。
【００２２】
画像記録部１００は、一対のローラ１０２ａ、１０２ｂと、これらのローラ１０２ａ、１０２ｂが当接することでフイルムＦの記録面を位置決めするプレート１０４とを備える。ローラ１０２ａ、１０２ｂ間には、画像記録部１００の上部に配設されたレーザビーム走査部１０６からレーザビームＬが導かれる。なお、レーザビームＬは、放射線画像情報に基づいて変調されることで、フイルムＦに潜像からなる放射線画像情報を記録する。
【００２３】
画像記録部１００の下流側には、放射線画像情報の記録されたフイルムＦを加熱することで潜像を顕像に変換する熱現像部１０８が配設される。熱現像部１０８は、フイルムＦを搬送する複数のローラ１１０と、複数のローラ１１０に沿って湾曲形成され、搬送中のフイルムＦを加熱するプレートヒータ１１２ａ〜１１２ｃと、複数のローラ１１０を回転駆動する歯車１１４とを有する。
【００２４】
画像記録装置１０の最上部には、熱現像部１０８に連設して冷却部１１６が配設される。冷却部１１６によって冷却されたフイルムＦは、画像記録装置１０の上面部である排出部１１８に排出される。
【００２５】
本実施形態の画像記録装置１０は、基本的には、以上のように構成されるものであり、次に、その動作について説明する。
【００２６】
上段のトレイ３６に六切サイズの包装体１２を収納する場合、先ず、トレイ装填部６７からトレイ３６を引き出した後、遮光袋１４に添付されたバーコードラベル２２を下にし、且つ、ヒレ部１８ａ側を手前として包装体１２をトレイ３６に収納する。この場合、図５に示すように、遮光袋１４内のフイルムＦ（図２参照）は、しごきローラ５０ａ、位置決めピン５２ａ、５２ｂ、位置決め板５４ａおよび位置決めピン５２ｄ、５２ｅによって囲繞された範囲に位置決め収納される。また、遮光袋１４の一方のヒレ部１８ａは、しごきローラ５０ａを介してトレイ３６の外部に導出し、他方のヒレ部１８ｂは、位置決め板５４ａ上に載置する。このようにして包装体１２がトレイ３６に収納された状態において、遮光袋１４に添付されているバーコードラベル２２は、トレイ３６の底面部に形成した開口部５６に臨む位置に配置される。
【００２７】
ここで、トレイ３６を引き出して包装体１２を収納する作業を行っている間、トレイ装填部６７には、外光が入射することになる。しかしながら、トレイ装填部６７は、上下に配設した遮光隔壁６５および６２によって、画像記録部１００側および他のトレイ装填部６９、７１から隔離されているため、画像記録中のフイルムＦやトレイ３８、４０に収納されているフイルムＦが露光してしまうおそれはない。なお、トレイ３６に包装体１２を収納する間、各遮光隔壁６５、６２、６４、６６におけるフイルムＦの通路７３、７５、７７をシャッタ部材によって閉塞しておけばより好適である。
【００２８】
次いで、遮光袋１４のヒレ部１８ｂ側を切除し、トレイ３６をガイドレール４４ａ、４４ｂを介してトレイ装填部６７に装填する。このとき、トレイ３６の底面部の開口部５６に対して、遮光隔壁６２の開口部６８が配置されることにより、収納部７４の位置Ａ１側に配設されたバーコードリーダ８０が遮光袋１４に添付されたバーコードラベル２２に対向する。
【００２９】
そこで、バーコードリーダ８０は、バーコードラベル２２に対してフイルムＦを感光することのない読取光である７７０ｎｍ以上の波長からなる赤外光を照射する。赤外光は、トレイ３６の開口部５６に装着されたフィルタ５７を介してバーコードラベル２２に照射される。バーコードラベル２２によって反射された赤外光は、フィルタ５７を介してバーコードリーダ８０に入射し、この赤外光から装填されたフイルムＦのロット情報、感度特性情報等が取得される。
【００３０】
フイルムＦのロット情報、感度特性情報等が読み取られた後、作業者は、画像記録装置１０の外部に露出する遮光袋１４のヒレ部１８ａを手前に引き抜く。このとき、フイルムＦは、当て紙１６に保持された状態で画像記録装置１０内に開放される。なお、フイルムＦが画像記録装置１０内に開放された状態において、例えば、バーコードリーダ８０、８２、８４が誤動作して読取光が出力されるような事態が生じた場合であっても、前記読取光の波長がフイルムＦを感光させることのない波長に設定されているため、フイルムＦにかぶりの生じることがなく、好適な状態に維持される。
【００３１】
次に、トレイ３６の上部に配設された吸着盤８６が駆動され、トレイ３６に収納されている最上部のフイルムＦが吸着枚葉され、ニップローラ９２を介して搬送路９８に供給される。次いで、フイルムＦは、搬送路９８を介して画像記録部１００に供給され、ローラ１０２ａ、１０２ｂおよびプレート１０４によって副走査方向に挟持搬送されるとともに、レーザビーム走査部１０６からの放射線画像情報に応じて変調されたレーザビームＬが主走査方向に照射される。この場合、レーザビームＬは、包装体１２の遮光袋１４に添付されたバーコードラベル２２から得たロット情報、感度特性情報に従って補正され、潜像としての放射線画像がフイルムＦに２次元的に記録される。
【００３２】
なお、画像記録部１００とトレイ装填部６７との間には、遮光隔壁６５が配設されているため、画像の記録を行うレーザビームＬがトレイ装填部６７のフイルムＦに照射されてしまうおそれはない。
【００３３】
放射線画像が記録されたフイルムＦは、熱現像部１０８において、ローラ１１０およびプレートヒータ１１２ａ〜１１２ｃにより挟持搬送され、プレートヒータ１１２ａ〜１１２ｃから付与される熱によって加熱現像され、潜像が顕像に変換される。顕像が記録されたフイルムＦは、冷却部１１６において冷却された後、排出部１１８に排出される。
【００３４】
中段のトレイ３８または下段のトレイ４０に対しても同様に、所望のサイズからなる包装体１２が装填され、そのロット情報、感度特性情報等がバーコードリーダ８２、８４によって取得された後、フイルムＦが枚葉され、放射線画像情報の記録が行われる。
【００３５】
ここで、他の種類のフイルムＦとの入れ替えが必要になった場合や、画像記録装置１０内の故障等に対する処置が必要になった場合、トレイ３６、３８、４０中にフイルムＦが残存する状態でトレイ３６、３８、４０を引き出さなければならないことがある。この場合、図４に示すように、取手部４６に形成したスリット４７から溝部４５にシャッタ板４９を挿入し、トレイ３６、３８、４０の上部開口部を閉塞した後、トレイ３６、３８、４０を引き出す。このとき、トレイ３６、３８、４０は、上部の開口部がシャッタ板４９によって遮光されるとともに、下部の開口部５６、５８、６０が外光を遮断するフィルタ５７、５９、６１によって遮光されているため、開口部５６、５８、６０を閉塞する特別なシャッタ機構を設けることなく、内部に残存するフイルムＦを光密な状態に維持することができる。なお、画像記録装置１０内の故障等の処置が完了した後、当該トレイ３６、３８、４０を再度装填し、シャッタ板４９を抜き取ることにより、残存するフイルムＦに対する放射線画像情報の記録処理を継続することができる。
【００３６】
【発明の効果】
以上のように、本発明によれば、トレイに収納される感光材料に係る情報を外部から読み取るためのトレイに配設した開口部に対して、感光材料を感光することのない読取光のみを透過させるフィルタを設けることにより、情報読取部による情報取得の際に感光材料を感光させることがなく、また、トレイを引き出した際に残存する感光材料を感光させることのない簡易な構成からなるトレイおよびそれが装填される画像記録装置を提供することができる。
【図面の簡単な説明】
【図１】本実施形態の画像記録装置の構成図である。
【図２】図１に示す画像記録装置に装填される包装体の説明図である。
【図３】図１に示す画像記録装置に装填される包装体の背面構成図である。
【図４】図１に示す画像記録装置に装填される包装体を収納するトレイの斜視説明図である。
【図５】図４に示すトレイに対して六切サイズの包装体を収納した状態の平面説明図である。
【符号の説明】
１０…画像記録装置　　　　　　　１２…包装体
１４…遮光袋　　　　　　　　　　１８ａ、１８ｂ…ヒレ部
２０…合わせ部　　　　　　　　　２２…バーコードラベル
３６、３８、４０…トレイ　　　　４４ａ、４４ｂ…ガイドレール
５０ａ、５０ｂ…しごきローラ　　５２ａ〜５２ｇ…位置決めピン
５４ａ〜５４ｃ…位置決め板　　　５６、５８、６０…開口部
５７、５９、６１…フィルタ　　　６２、６４、６５、６６…遮光隔壁
６７、６９、７１…トレイ装填部　４８、７４、７６、７８…収納部
８０、８２、８４…バーコードリーダ
１００…画像記録部　　　　　　　　１０６…レーザビーム走査部
１０８…熱現像部　　　　　　　　　１１６…冷却部
１１８…排出部　　　　　　　　　　Ｆ…フイルム
【図１】
2004091182.tif 000003
【図２】
2004091182.tif 000004
【図３】
2004091182.tif 000005
【図４】
2004091182.tif 000006
【図５】
2004091182.tif 000007